(57)【要約】【課題】時差を有する複数地域におけるスケジュールを確認し易くすると共に、既に登録されているスケジュールと重複しないで新たなスケジュールを登録し易くすること。【解決手段】時差を有する複数地域のスケジュールデータの入力を受け付ける操作部２３と、一の地域の時刻情報に合わせて他の地域のスケジュールデータの時刻情報を調整するスケジュール管理部２７と、複数地域のスケジュールデータを同一画面に表示する表示部２４と、を具備することを特徴とする。例えば、スケジュール管理部２７は、携帯電話機１１の現在位置に対応する地域の時刻情報に合わせて他の地域のスケジュールデータの時刻情報を調整する。【選択図】図２
2008187388.tif 000002
【特許請求の範囲】
【請求項１】
時差を有する複数地域のスケジュールデータの入力を受け付ける操作部と、一の地域の時刻情報に合わせて他の地域のスケジュールデータの時刻情報を調整するスケジュール調整部と、前記複数地域のスケジュールデータを同一画面に表示する表示部と、を具備することを特徴とする移動体端末装置。
【請求項２】
前記スケジュール調整部は、装置本体の現在位置に対応する前記一の地域の時刻情報に合わせて前記他の地域のスケジュールデータの時刻情報を調整することを特徴とする請求項１記載の移動体端末装置。
【請求項３】
端末本体の現在位置を検出する位置検出部を具備し、前記スケジュール調整部は、前記位置検出部が検出する装置本体の現在位置に応じて前記他の地域のスケジュールデータの時刻情報を自動的に調整することを特徴とする請求項２記載の移動体端末装置。
【請求項４】
前記スケジュール調整部は、前記他の地域のスケジュールデータの時刻情報を調整する際、当該スケジュールデータの調整の許否をユーザに確認することを特徴とする請求項３記載の移動体端末装置。
【請求項５】
通信回線を介して接続されるスケジュールサーバから他の移動体端末装置のスケジュールデータを受信すると、前記スケジュール調整部は、装置本体のスケジュールデータの時刻情報に合わせて前記他の移動体端末装置のスケジュールデータの時刻情報を調整することを特徴とする請求項１から請求項４のいずれかに記載の移動体端末装置。
【請求項６】
スケジュール管理機能を有する複数の移動体端末装置と、前記複数の移動体端末装置のスケジュールデータを登録するスケジュールサーバとを有するスケジュール管理システムであって、
一の移動体端末装置から他の移動体端末装置のスケジュールデータの確認要求を受けると、前記スケジュールサーバから当該スケジュールデータを前記一の移動体端末装置に送信し、前記一の移動体端末装置で、当該一の移動体端末装置のスケジュールデータの時刻情報に合わせて前記他の移動体端末装置のスケジュールデータの時刻情報を調整して同一画面に表示することを特徴とするスケジュール管理システム。
【請求項７】
前記スケジュールサーバは、他の移動体端末装置のスケジュールデータを前記一の移動体端末装置に送信する際、当該スケジュールデータの公開の許否を前記他の移動体端末装置のユーザに確認することを特徴とする請求項６記載のスケジュール管理システム。
【請求項８】
前記一の移動体端末装置から前記他の移動体端末装置のスケジュールデータの登録要求を受けると、前記スケジュールサーバは、当該スケジュールデータを登録することを特徴とする請求項６又は請求項７記載のスケジュール管理システム。
【請求項９】
前記スケジュールサーバは、前記他の移動体端末装置のスケジュールデータを登録する際、当該スケジュールデータの登録の許否を前記他の移動体端末装置のユーザに確認することを特徴とする請求項８記載のスケジュール管理システム。
【発明の詳細な説明】
【技術分野】
【０００１】
本発明は、移動体端末装置及びスケジュール管理システムに関し、特に、スケジュール管理機能を有する移動体端末装置及びこの移動体端末装置のユーザのスケジュールを管理するスケジュール管理システムに関する。
【背景技術】
【０００２】
近年、携帯電話機においては、その高機能化に伴ってユーザのスケジュール管理機能を搭載するものが知られている。また、現在、携帯電話機においては、国際ローミングサービスの提供を受けることができる機種が普及しつつある。このような国際ローミングサービスに対応すると共に、スケジュール管理機能を有する携帯電話機においては、国内及び国外におけるスケジュールデータが登録され得るため、携帯電話機の現在位置に応じた時差を考慮してスケジュール管理を行う必要が生じる。なお、このように時差を考慮してスケジュール管理を行うべく、移動先の現在位置に対応する地域の標準時刻に応じてスケジュールデータの修正を行う電子機器が提案されている（例えば、特許文献１参照）。
【特許文献１】特開２００３−１６１７９２号公報
【発明の開示】
【発明が解決しようとする課題】
【０００３】
上述したように、携帯電話機において時差を考慮してスケジュール管理を行う場合には、既に登録されているスケジュールデータの修正を行うだけでなく、時差を有する複数地域におけるスケジュールを確認し易くすることや、複数地域に跨って登録されるスケジュールと重複しないで新たなスケジュールを登録し易くすることが要請される。
【０００４】
本発明は、このような実情に鑑みて為されたものであり、時差を有する複数地域におけるスケジュールを確認し易くすると共に、既に登録されているスケジュールと重複しないで新たなスケジュールを登録し易くすることができる移動体端末装置及びスケジュール管理システムを提供することを目的とする。
【課題を解決するための手段】
【０００５】
本発明の移動体端末装置は、時差を有する複数地域のスケジュールデータの入力を受け付ける操作部と、一の地域の時刻情報に合わせて他の地域のスケジュールデータの時刻情報を調整するスケジュール調整部と、前記複数地域のスケジュールデータを同一画面に表示する表示部と、を具備することを特徴とする。
【０００６】
この構成によれば、スケジュール調整部により、時差を有する複数地域のうち、一の地域の時刻情報に合わせて他の地域のスケジュールデータの時刻情報が調整され、同一画面に表示されることから、時差を有する複数地域におけるスケジュールを確認し易くすると共に、既に登録されているスケジュールと重複しないで新たなスケジュールを登録し易くすることが可能となる。
【０００７】
上記移動体端末装置において、前記スケジュール調整部は、装置本体の現在位置に対応する前記一の地域の時刻情報に合わせて前記他の地域のスケジュールデータの時刻情報を調整することが好ましい。この場合には、装置本体の現在位置に応じて他の地域のスケジュールデータの時刻情報が調整されるので、登録されているスケジュールデータをイメージし易くでき、スケジュールの確認がより容易になると共に、新たなスケジュールの登録がより容易になる。
【０００８】
特に、上記移動体端末装置においては、装置本体の現在位置を検出する位置検出部を具備し、前記スケジュール調整部は、前記位置検出部が検出する装置本体の現在位置に応じて前記他の地域のスケジュールデータの時刻情報を自動的に調整することが好ましい。この場合には、装置本体の現在位置に応じて他の地域のスケジュールデータの時刻情報が自動的に調整されるので、装置本体の現在位置の更新に応じてユーザが逐一スケジュールデータの時刻情報を調整するような手間を省くことができ、より利便性に優れたスケジュール管理を行うことが可能となる。
【０００９】
また、上記移動体端末装置において、前記スケジュール調整部は、前記他の地域のスケジュールデータの時刻情報を調整する際、当該スケジュールデータの調整の許否をユーザに確認することが好ましい。この場合には、スケジュールデータの時刻情報の調整の許否がユーザに確認されるので、ユーザの意図に関係なくスケジュールデータの時刻情報が調整される事態を防止することが可能となる。
【００１０】
さらに、上記移動体端末装置において、通信回線を介して接続されるスケジュールサーバから他の移動体端末装置のスケジュールデータを受信すると、前記スケジュール調整部は、装置本体のスケジュールデータの時刻情報に合わせて前記他の移動体端末装置のスケジュールデータの時刻情報を調整するようにしても良い。この場合には、装置本体のスケジュールデータの時刻情報に合わせて他の移動体端末装置のスケジュールデータの時刻情報が調整されるので、時差を有する他の地域にいる他ユーザのスケジュールを確認し易くすると共に、自己と当該他ユーザとの間において、既に登録されているスケジュールと重複しないで新たなスケジュールを登録し易くすることが可能となる。
【００１１】
本発明のスケジュール管理システムは、スケジュール管理機能を有する複数の移動体端末装置と、前記複数の移動体端末装置のスケジュールデータを登録するスケジュールサーバとを有するスケジュール管理システムであって、一の移動体端末装置から他の移動体端末装置のスケジュールデータの確認要求を受けると、前記スケジュールサーバから当該スケジュールデータを前記一の移動体端末装置に送信し、前記一の移動体端末装置で、当該一の移動体端末装置のスケジュールデータの時刻情報に合わせて前記他の移動体端末装置のスケジュールデータの時刻情報を調整して同一画面に表示することを特徴とする。
【００１２】
この構成によれば、一の移動体端末装置から他の移動体端末装置のスケジュールデータの確認要求に応じて、一の移動体端末装置のスケジュールデータの時刻情報に合わせて他の移動体端末装置のスケジュールデータの時刻情報が調整され、同一画面に表示されるので、時差を有する他の地域にいる他の移動体端末装置のユーザのスケジュールを確認し易くすると共に、自己と当該他の移動体端末装置のユーザとの間において、既に登録されているスケジュールと重複しないで新たなスケジュールを登録し易くすることが可能となる。
【００１３】
特に、上記スケジュール管理システムにおいて、前記スケジュールサーバは、他の移動体端末装置のスケジュールデータを前記一の移動体端末装置に送信する際、当該スケジュールデータの公開の許否を前記他の移動体端末装置のユーザに確認することが好ましい。この場合には、スケジュールデータの公開の許否が他の移動体端末装置のユーザに確認されるので、ユーザの意図に関係なく当該ユーザのスケジュールデータが公開される事態を防止することが可能となる。
【００１４】
上記スケジュール管理システムにおいて、前記一の移動体端末装置から前記他の移動体端末装置のスケジュールデータの登録要求を受けると、前記スケジュールサーバは、当該スケジュールデータを登録することが好ましい。この場合には、一の移動体端末装置のスケジュールデータと、他の移動体端末装置のスケジュールデータとの重複しない時間帯を指定して、新たなスケジュールを登録することが可能となる。
【００１５】
特に、上記スケジュール管理システムにおいて、前記スケジュールサーバは、前記他の移動体端末装置のスケジュールデータを登録する際、当該スケジュールデータの登録の許否を前記他の移動体端末装置のユーザに確認することが好ましい。この場合には、新たなスケジュールデータの登録の許否が他の移動体端末装置のユーザに確認されるので、ユーザの意図に関係なく新たなスケジュールデータが登録される事態を防止することが可能となる。
【発明の効果】
【００１６】
本発明に係る移動体端末装置及びスケジュール管理システムによれば、時差を有する複数地域のうち、一の地域の時刻情報に合わせて他の地域のスケジュールデータの時刻情報を調整して同一画面に表示するようにしたので、時差を有する複数地域におけるスケジュールを確認し易くすると共に、既に登録されているスケジュールと重複しないで新たなスケジュールを登録し易くすることが可能となる。
【発明を実施するための最良の形態】
【００１７】
以下、本発明の実施の形態について添付図面を参照して詳細に説明する。
図１は、本発明の一実施の形態に係るスケジュール管理システムが適用されるネットワーク構成例を示す図である。なお、図１においては、移動体端末装置の例として、携帯電話機を用いて説明するが、これに限定されるものではなく、適宜変更が可能である。また、図１に示すネットワークにおいては、説明の便宜上、２つの携帯電話機が接続される場合について示している。
【００１８】
図１に示すように、本実施の形態に係るスケジュール管理システムにおいては、ＩＭＴ（International  Mobile  Telecommunication）網等の通信ネットワークで構成される移動通信網１０に接続された複数の携帯電話機１１、１２と、同じく移動通信網１０に接続されたスケジュールサーバ１３とを含んで構成されている。スケジュールサーバ１３は、携帯電話機１１、１２から通知されるスケジュールデータが登録されるスケジュールデータベース（ＤＢ）１３ａを有し、後述するように、携帯電話機１１、１２からの要求に応じてスケジュールＤＢ１３ａに登録されたスケジュールデータを要求元の携帯電話機１１、１２に配信する。
【００１９】
なお、図１においては、本発明を説明するために簡素化したものであり、携帯電話機１１、１２の位置情報や加入者情報の管理を行うためのホームロケーションレジスタなどの携帯電話機１１、１２に各種通信サービスを提供するための構成については省略している。
【００２０】
本実施の形態に係る携帯電話機１１、１２は、国際ローミングサービスに対応しており、契約国（例えば、日本）以外の国においても、契約国で使用するのと同様に各種の通信サービスの提供を受けることが可能となっている。また、携帯電話機１１、１２は、ユーザのスケジュール管理機能を搭載しており、例えば、予め登録されたスケジュールデータの内容を確認することができると共に、登録されたスケジュールデータに応じて音声出力や画像表示などを行うことにより、当該スケジュールデータをユーザに報知することができる。
【００２１】
特に、本実施の形態に係る携帯電話機１１、１２は、詳細について後述するように、スケジュールデータ登録の際、携帯電話機１１、１２を契約した地域などの基準となる地域（以下、適宜「基準地」という）と、基準地と時差を有する移動地とを分けてスケジュールデータを登録することが可能である。また、ユーザのスケジュール管理を行う際、端末自体の位置情報に応じて基準地の時刻情報と、現在地（現在位置）の時刻情報との時差情報を算出し、スケジュールデータの調整を行うことが可能である。
【００２２】
図２は、本実施の形態に係る携帯電話機１１、１２の構成を示すブロック図である。携帯電話機１１、１２は、同一の構成を有するため、代表して携帯電話機１１の構成について説明し、携帯電話機１２の構成については省略する。なお、図２に示す携帯電話機１１の構成は、本発明を説明するために簡略化したものであり、携帯電話機１１は、国際ローミングサービスに対応可能な通常の携帯電話機に必要な処理機能を備えるものとする。
【００２３】
図２に示す携帯電話機１１において、制御部２１は、装置全体の制御を行う。通信部２２は、移動通信網１０を介してスケジュールサーバ１３と通信を行う。例えば、通信部２２は、スケジュールサーバ１３との間でスケジュールデータの通信を行う。操作部２３は、ユーザから入力される携帯電話機１１に対する指示を受け付ける。例えば、操作部２３は、ユーザのスケジュールデータの登録指示や、スケジュールデータの確認指示を受け付ける。
【００２４】
表示部２４は、携帯電話機１１の状態に応じた情報を表示する。例えば、表示部２４は、後述するスケジュール登録画面や、ロケーション設定画面を表示する。計時部２５は、基準地（例えば、日本）における現在時刻を計時する。位置検出部２６は、携帯電話機１１の現在位置を検出する。例えば、ＧＰＳユニットで構成され、幾つかの測位衛星からの電波を受信することにより携帯電話機１１が存在する地球上の位置（緯度、経度）を検出する。
【００２５】
スケジュール管理部２７は、ユーザのスケジュール管理に関する処理を行う。例えば、スケジュールデータを登録するために必要な処理や、登録されたスケジュールデータを確認するために必要な処理を行う。なお、かかるスケジュール管理部２７は、スケジュール調整部として機能するものである。時差計算部２８は、ユーザにより登録されたスケジュールデータのうち、基準地の時刻情報から時差を有する移動地におけるスケジュールデータを登録する場合や、当該移動地の時刻情報を表示する場合などに基準地の時刻情報からの時差を計算する。記憶部２９は、携帯電話機１１における各種処理を実行する際に必要となる情報を記憶する。例えば、ユーザにより指示されたスケジュールデータを記憶する。
【００２６】
図３は、本実施の形態に係るスケジュールサーバ１３の構成を示すブロック図である。図３に示すスケジュールサーバ１３において、制御部３１は、装置全体の制御を行う。通信部３２は、移動通信網１０を介して携帯電話機１１、１２と通信を行う。計時部３３は、本スケジュールサーバ１３が設置された地域の現在時刻を計時する。
【００２７】
スケジュール管理部３４は、スケジュールＤＢ１３ａに登録されたスケジュールデータに関する処理を行う。具体的には、詳細について後述するように、携帯電話機１１、１２からスケジュールＤＢ１３ａに登録されたスケジュールデータの確認要求を受けた場合に必要に応じて該当するスケジュールデータの配信を行う。また、当該確認要求をした携帯電話機１１、１２から新たなスケジュールデータの登録要求を受けた場合に、必要に応じて新たなスケジュールデータの登録を行う。
【００２８】
ここで、本実施の形態に係る携帯電話機１１で提供されるスケジュール登録画面について説明する。図４及び図５は、本実施の形態に係る携帯電話機１１の表示部２４に表示されるスケジュール登録画面の一例を示す図である。操作部２３を介してユーザからスケジュールデータの登録指示を受け付けると、表示部２４にスケジュール登録画面が表示される。
【００２９】
図４及び図５に示すように、スケジュール登録画面４０には、スケジュールデータの登録日を設定する登録日設定欄４１と、スケジュールデータとして登録される予定（以下、単に「予定」という）の開始時刻及び終了時刻を設定する時刻設定欄４２と、予定の開始時刻におけるアラーム鳴動のオン／オフを設定するアラーム設定欄４３と、予定の繰返しのオン／オフを設定する繰返し設定欄４４と、予定の内容を設定する予定内容設定欄４５と、予定のロケーション情報を設定するロケーション設定欄４６と、第三者への予定の公開の有無（オン／オフ）を設定する公開設定欄４７と、が設けられている。
【００３０】
ここで、登録日設定欄４１及び時刻設定欄４２は、それぞれ「登録日」及び「開始時刻」、「終了時刻」が入力可能に設けられている。アラーム設定欄４３、繰返し設定欄４４、公開設定欄４７は、「オン」及び「オフ」が設定可能に設けられている。設定された「オン」、「オフ」のいずれかが図４及び図５に示すように実線で囲まれることとなる。予定内容設定欄４５は、ユーザによって個別に予定内容の名称が入力可能に設けられている。ロケーション設定欄４６は、基準地を設定する「ホーム」及び基準地から時差の伴う移動地を設定する「移動先」が設定可能に設けられている。なお、以下において「ホーム」を構成する基準地は日本であるものとする。
【００３１】
図４に示すスケジュール登録画面４０においては、登録日設定欄４１に「１１／３０」が入力され、時刻設定欄４２に開始時刻として「１０：００」、終了時刻として「１３：００」が入力されている。また、アラーム設定欄４３に「オン」が設定され、繰返し設定欄４４に「オフ」が設定され、公開設定欄４７に「オン」が設定されている。さらに、予定内容設定欄４５に「外出」が入力され、ロケーション設定欄４６に「ホーム」が設定されている。つまり、図４に示すスケジュール設定画面４０においては、日本国内で１１月３０日の１０：００〜１３：００の外出が設定されており、アラーム鳴動がオンされ、繰返しがオフされ、公開設定がオンされた場合について示している。
【００３２】
一方、図５に示すスケジュール登録画面４０においては、登録日設定欄４１に「１１／３０」が入力され、時刻設定欄４２に開始時刻として「１５：００」、終了時刻として「１８：００」が入力されている。また、アラーム設定欄４３に「オン」が設定され、繰返し設定欄４４に「オフ」が設定され、公開設定欄４７に「オン」が設定されている。さらに、予定内容設定欄４５に「取引先会議」が入力され、ロケーション設定欄４６に「移動先」が設定されている。つまり、図５に示すスケジュール設定画面４０においては、移動先で１１月３０日の１５：００〜１８：００の取引先会議が設定されており、アラーム鳴動がオンされ、繰返しがオフされ、公開設定がオンされた場合について示している。なお、ロケーション設定欄４６に「移動先」が設定された場合において、時刻設定欄４２には、その「移動先」での時刻情報が入力される。
【００３３】
図５のスケジュール登録画面４０に示すように、ロケーション設定欄４６に「移動先」が設定されると、携帯電話機１１の表示部２４にはロケーションを設定するためのロケーション設定画面が表示される。図６は、本実施の形態に係る携帯電話機１１の表示部２４に表示されるロケーション設定画面の一例を示す図である。
【００３４】
図６に示すように、ロケーション設定画面６０には、世界地図に対応する模式図が表示されると共に、当該世界地図上の移動先を指定可能な移動先指定欄６１と、移動先指定欄６１の世界地図上で指定された移動先に関する情報が表示される移動先表示欄６２とが設けられている。図６に示すロケーション設定画面６０においては、移動先指定欄６１において移動先として「北京」が指定され、移動先表示部６２にこの「北京」に関する情報が表示された場合について示している。ここでは、移動先に関する情報として、「移動先の地名」及び「ＧＭＴ(Greenwich Mean Time)グリニッジ標準時」が表示されている。
【００３５】
ここで、本実施の形態に係る携帯電話機１１で提供されるスケジュール確認画面について説明する。図７は、本実施の形態に係る携帯電話機１１の表示部２４に表示されるスケジュール確認画面の一例を示す図である。操作部２３を介してユーザからスケジュールデータの確認要求を受け付けると、表示部２４にスケジュール確認画面が表示される。
【００３６】
図７に示すように、スケジュール確認画面７０には、ユーザにより選択された日程時間欄（ここでは、９：００〜０：００まで）７１が表示される。図７においては、時間欄７１には、携帯電話機１１の現在位置の時間（ここでは、日本時間）が表示されている。この時間欄７１の側方部分に、ホームの予定として登録されたスケジュールデータ（以下、適宜「ホームのスケジュールデータ」という）７２と、移動先の予定として登録されたスケジュールデータ（以下、適宜「移動先のスケジュールデータ」という）７３とが並べて表示される。特に、スケジュール確認画面７０においては、携帯電話機１１の現在位置に応じたスケジュールデータが実線で表示され、現在位置以外のスケジュールデータが点線で表示される。また、スケジュール確認画面７０には、新たなスケジュールデータの登録指示を受け付ける登録ボタン７４と、スケジュールデータの確認の終了指示を受け付ける終了ボタン７５とが設けられている。
【００３７】
なお、図７に示すスケジュール確認画面７０においては、図４及び図５に示すスケジュール登録画面４０で設定されたスケジュールデータの内容を表示している。ここでは、スケジュールデータの確認を行っている携帯電話機１１の現在位置がホームである場合について示している。この場合、図７に示すように、図４で設定されたスケジュールデータがホームのスケジュールデータ７２として表示され、図５で設定されたスケジュールデータが移動先のスケジュールデータ７３として表示されている。
【００３８】
特に、移動先のスケジュールデータ７３においては、図６に示すロケーション設定画面６０で設定された移動先（ここでは、北京）の時差を考慮し、日本時間に合わせて表示されている。すなわち、日本と北京との時差は、北京の時刻が日本の時刻に比べて１時間早い。つまり、北京時間の「１５：００」は、日本時間の「１６：００」に相当する。このため、図７に示すスケジュール確認画面７０においては、図５で１５：００〜１８：００に設定された「取引先会議」が、１６：００〜１９：００に変更して表示されている。
【００３９】
このようにスケジュールデータが登録された状態で携帯電話機１１が移動した場合、当該携帯電話機１１の現在位置に応じてスケジュール確認画面７０の内容が更新される。以下、携帯電話機１１の移動に伴って、更新後のスケジュール確認画面７０´を表示する処理について説明する。図８は、本実施の形態に係る携帯電話機１１の移動に伴って、更新後のスケジュール確認画面７０´を表示する処理について説明するためのフロー図である。
【００４０】
本実施の形態に係る携帯電話機１１においては、通常動作を行っている間に常にスケジュールデータの登録を監視している（ステップ（以下、「ＳＴ」と略す）１）。例えば、スケジュールデータの登録は、操作部２３からのスケジュールデータの登録指示の有無や、記憶部２９へのスケジュールデータの登録の有無に応じて検出される。なお、スケジュールデータの登録を検出しない場合には、スケジュールデータの登録の監視動作を継続する。
【００４１】
スケジュールデータの登録を検出した場合には、携帯電話機１１は、その後、時差が発生する移動を監視している（ＳＴ２）。例えば、時差が発生する移動は、位置検出部２６により検出される位置情報（緯度、経度）に応じて検出される。なお、時差が発生する移動を検出しない場合には、スケジュールデータの登録が行われた場合であっても、以降の処理を行うことはなく、時差が発生する移動の監視動作を継続する。
【００４２】
時差が発生する移動を検出した場合には、携帯電話機１１は、記憶部２９に登録されているスケジュールデータ（以下、適宜「登録スケジュールデータ」という）の更新をユーザに確認する（ＳＴ３）。ここでは、携帯電話機１１は、図９に示すスケジュールデータ更新確認画面９０を表示部２４に表示することで、登録スケジュールデータの更新を確認する。
【００４３】
図９は、本実施の形態に係る携帯電話機１１の表示部２４に表示されるスケジュールデータ更新確認画面の一例を示す図である。図９に示すように、スケジュールデータ更新確認画面９０には、例えば、「エリア情報が更新されました。登録スケジュールデータを更新しますか？」などのメッセージを表示するメッセージ表示領域９１と、スケジュールデータの更新の許容又は拒否を受け付ける更新許否ボタン９２とが設けられている。
【００４４】
スケジュールデータ更新確認画面９０を表示した後、携帯電話機１１は、ユーザから更新指示を受け付けるか判定する（ＳＴ４）。更新指示を検出しない場合には、処理をＳＴ２に戻し、再度、時差が発生する移動の監視動作を行う。一方、ユーザから更新指示を受け付けた場合には、携帯電話機１１は、位置検出部２６により現在位置情報を取得する（ＳＴ５）。そして、取得した現在位置情報に基づいて、時差計算部２８により時差の計算を行う（ＳＴ６）。時差の計算を行った後、携帯電話機１１は、移動先との時差を反映させた更新後のスケジュール確認画面７０´を表示部２４に表示する（ＳＴ７）。
【００４５】
ここで、日本においては図７に示すスケジュール確認画面７０が表示される携帯電話機１１における更新後のスケジュール確認画面７０´について説明する。この場合、表示部２４には、図１０に示す更新後のスケジュール確認画面７０´が表示される。なお、ここでは、時差の発生する移動先として、携帯電話機１１が北京に移動しているものとする。
【００４６】
図１０に示すように、更新後のスケジュール確認画面７０´は、図７に示すスケジュール確認画面７０と略同様の構成を有する。すなわち、ユーザにより選択された日程の時間欄（ここでは、９：００〜０：００まで）７１が表示されると共に、ホーム及び移動先のスケジュールデータ７２、７３が並べて表示される。また、登録ボタン７４と、終了ボタン７５とが設けられている。なお、図７に示すスケジュール確認画面７０においては、時間欄７１として日本の時間（日本時間）が表示されているのに対し、図１０に示す更新後のスケジュール確認画面７０´においては、移動先である北京の時間（北京時間）が表示されると共に、日本時間が括弧内に表示されている。
【００４７】
図１０に示す更新後のスケジュール確認画面７０´においては、スケジュールデータの確認を行っている携帯電話機１１の現在位置が移動先（北京）である場合について示している。この場合、図１０に示すように、ホームのスケジュールデータ７２においては、図６に示すロケーション設定画面６０で設定された移動先（北京）の時差を考慮し、北京時間に合わせて表示されている。すなわち、上述のように、日本と北京との時差は、北京の時刻が日本の時刻に比べて１時間早い。このため、図１０に示す更新後のスケジュール確認画面７０´においては、図４で１０：００〜１３：００に設定された外出が、９：００〜１２：００に変更して表示されている。一方、図５で１５：００〜１８：００に設定された取引先会議は、そのままの時間で表示されている。
【００４８】
このように、本実施の形態に係る携帯電話機１１においては、時差を有する複数地域のうち、一の地域（例えば、日本）の時刻情報に合わせて他の地域（例えば、北京）のスケジュールデータの時刻情報が調整され、同一画面（スケジュール確認画面７０）に表示されることから、時差を有する複数地域におけるスケジュールを確認し易くすると共に、既に登録されているスケジュールと重複しないで新たなスケジュールを登録し易くすることが可能となる。
【００４９】
また、本実施の形態に係る携帯電話機１１においては、装置本体の現在位置（例えば、日本）に応じて他の地域（例えば、北京）のスケジュールデータの時刻情報が調整されるので、登録されているスケジュールデータをイメージし易くでき、スケジュールの確認がより容易になると共に、新たなスケジュールの登録がより容易になる。
【００５０】
特に、本実施の形態に係る携帯電話機１１においては、位置検出部２６により検出される現在位置に応じて他の地域のスケジュールデータの時刻情報が調整されるので、携帯電話機１１の現在位置の更新に応じてユーザが逐一スケジュールデータの時刻情報を調整するような手間を省くことができ、より利便性に優れたスケジュール管理を行うことが可能となる。
【００５１】
なお、本実施の形態に係る携帯電話機１１においては、他の地域のスケジュールデータの時刻情報を調整する際、当該スケジュールデータの調整の許否をユーザに確認するので（図８に示すＳＴ３、図９に示すスケジュール更新確認画面９０参照）、ユーザの意図に関係なくスケジュールデータの時刻情報が調整される事態を防止することが可能となる。
【００５２】
以上の説明においては、携帯電話機１１のユーザが、自端末に登録されたスケジュールデータを確認すると共に、新たなスケジュールデータを登録する場合について説明している。本実施の形態に係るスケジュール管理システムにおいては、このように自端末に登録されたスケジュールデータの確認等に加えて、他の携帯電話機に登録されたスケジュールデータを確認すると共に、新たなスケジュールデータを登録することが可能である。
【００５３】
以下、本実施の形態に係るスケジュール管理システムにおいて、他の携帯電話機に登録されたスケジュールデータの確認等を行う場合の処理について図１１を用いて説明する。図１１は、本実施の形態に係るスケジュール管理システムにおいて、他の携帯電話機１１に登録されたスケジュールデータの確認等を行う場合の処理について説明するためのシーケンス図である。なお、図１１においては、携帯電話機１１が、他の携帯電話機１２に登録されたスケジュールデータを確認する場合について示している。また、図１１において、携帯電話機１１の現在位置は日本であり、携帯電話機１２の現在位置はサンフランシスコであるものとする。
【００５４】
図１１に示すように、本実施の形態に係るスケジュール管理システムにおいては、携帯電話機１２においてスケジュールデータが登録されると（ＳＴ１１）、登録されたスケジュールデータがスケジュールサーバ１３に送信される（ＳＴ１２）。携帯電話機１２から登録されたスケジュールデータを受信すると、スケジュールサーバ１３において、当該スケジュールデータがスケジュールＤＢ１３ａに登録される（ＳＴ１３）。このように、管理下の携帯電話機において、スケジュールデータが登録される毎にスケジュールデータがスケジュールＤＢ１３ａに登録されていくこととなる。
【００５５】
スケジュールＤＢ１３ａに携帯電話機１２のユーザのスケジュールデータが登録された状態において、携帯電話機１１においてスケジュールデータの確認指示を受け付けると（ＳＴ１４）、携帯電話機１１からスケジュールサーバ１３に対して、携帯電話機１２の登録スケジュールデータの確認要求が送信される（ＳＴ１５）。
【００５６】
携帯電話機１１からスケジュールデータの確認要求を受信すると、スケジュールサーバ１３において、携帯電話機１２の登録スケジュールデータが第三者への公開を許容しているかが判定される（ＳＴ１６）。なお、ここで、携帯電話機１２の登録スケジュールデータが第三者への公開を許容していない場合には、その旨（非公開である旨）が携帯電話機１１に通知され（ＳＴ１７）、処理が終了する。
【００５７】
一方、携帯電話機１２の登録スケジュールデータが第三者への公開を許容している場合には、スケジュールサーバ１３から携帯電話機１１に対して、携帯電話機１２の登録スケジュールデータが送信される（ＳＴ１８）。スケジュールサーバ１３から携帯電話機１２の登録スケジュールデータを受信すると、携帯電話機１１において、他の携帯電話機１２のスケジュールデータを確認する第三者スケジュール確認画面が生成され、表示される（ＳＴ１９）。
【００５８】
ここで、本実施の形態に係る携帯電話機１１で提供される第三者スケジュール確認画面について説明する。図１２は、本実施の形態に係る携帯電話機１１の表示部２４に表示される第三者スケジュール確認画面の一例を示す図である。上述のように、スケジュールサーバ１３から他の携帯電話機１２のスケジュールデータを受信すると、表示部２４に第三者スケジュール確認画面が表示される。
【００５９】
図１２に示すように、第三者スケジュール確認画面１２００においては、携帯電話機１１の現在位置の時間（日本時間）に対応する時間欄１２０１と、携帯電話機１２の現在位置の時間（サンフランシスコ時間）に対応する時間欄１２０２とが並べて表示されている。そして、これらの時間欄１２０１、１２０２の側方部分に、携帯電話機１１の登録スケジュールデータ１２０３と、携帯電話機１２の登録スケジュールデータ１２０４とが並べて表示されている。特に、第三者スケジュール確認画面１２００においては、自端末（携帯電話機１１）の登録スケジュールが実線で表示され、他端末（携帯電話機１２）の登録スケジュールデータが点線で表示される。また、第三者スケジュール確認画面１２００には、新たなスケジュールデータの登録指示を受け付ける登録ボタン１２０５と、スケジュールデータの確認の終了指示を受け付ける終了ボタン１２０６とが設けられている。
【００６０】
図１２に示す第三者スケジュール確認画面１２００においては、携帯電話機１１の登録スケジュールデータ１２０３の日本時間の１３：００〜１６：００に「会議」が設定され、１９：００〜１：００まで「外出」が設定されている。一方、携帯電話機１２の登録スケジュールデータ１２０４においては、サンフランシスコ時間の７：００〜１１：００に「外出」が設定され、１６：００〜１９：００に「会議」が設定されている。
【００６１】
このような第三者スケジュール確認画面１２００が表示された後、ここでは、携帯電話機１１のユーザから新たなスケジュールデータの登録が指示されるものとする（ＳＴ２０）。新たなスケジュールデータの登録指示を受け付けると、携帯電話機１１からスケジュールサーバ１３に対して、新たなスケジュールデータの登録要求が送信される（ＳＴ２１）。なお、この登録要求には、新たなスケジュールデータが含まれる。ここでは、１２／３の１７：００〜１８：００のテレビ会議が新たなスケジュールデータとして含まれているものとする。
【００６２】
携帯電話機１１から新たなスケジュールデータの登録要求を受信すると、スケジュールサーバ１３から携帯電話機１２に対して、新たなスケジュールデータの登録の許否を問い合わせる登録確認要求が送信される（ＳＴ２２）。スケジュールサーバ１３から登録確認要求を受信すると、携帯電話機１２において、新たなスケジュールデータの登録を確認する登録確認画面が表示される（ＳＴ２３）。
【００６３】
ここで、本実施の形態に係る携帯電話機１２で提供される登録確認画面について説明する。図１３は、本実施の形態に係る携帯電話機１２の表示部２４に表示される登録確認画面の一例を示す図である。上述のように、スケジュールサーバ１３から登録確認要求を受信すると、表示部２４に登録確認画面が表示される。
【００６４】
図１３に示すように、登録確認画面１３００には、例えば、「新規スケジュールを受け付けました。テレビ会議  １２／３  １７：００〜１８：００  登録しますか？」などのメッセージを表示するメッセージ表示領域１３０１と、新たなスケジュールデータの登録の許容又は拒否を受け付ける登録許否ボタン１３０２と、新たなスケジュールデータの登録を保留する保留ボタン１３０３とが設けられている。
【００６５】
このような登録確認画面１３００が表示された状態において、登録許否ボタン１３０２が選択されると、携帯電話機１２からスケジュールサーバ１３に対して、新たなスケジュールデータの登録の許否を示す登録許否情報が送信される（ＳＴ２４）。ここでは、新たなスケジュールデータの登録を許容する登録許否情報が送信されたものとする。なお、登録確認画面１３００から保留ボタン１３０３が選択された場合には、一時的に登録確認画面１３００の表示が消えた後、一定時間経過後に再び表示され、同様の確認処理が行われることとなる。
【００６６】
携帯電話機１２から登録許否情報（ここでは、登録許容情報）を受信すると、スケジュールサーバ１３において、携帯電話機１１から受信した登録要求に含まれるスケジュールデータがスケジュールＤＢ１３ａに登録される（ＳＴ２５）。スケジュールサーバ１３において、新たなスケジュールデータが登録されると、スケジュールサーバ１３から携帯電話機１１に対して、登録要求されたスケジュールデータが登録された旨を通知する登録通知が送信される（ＳＴ２６）。なお、携帯電話機１２から登録拒否情報を受信した場合には、新たなスケジュールデータが登録されることはなく、当該スケジュールデータが登録できない旨を通知する登録不可通知が送信される。
【００６７】
このようにして携帯電話機１１から要求された新たなスケジュールデータが登録された場合、その後に携帯電話機１１に表示される第三者スケジュール確認画面１２００においては、図１４に示すように、携帯電話機１１のスケジュールデータ１２０３における１７：００〜１８：００の時間（携帯電話機１２のスケジュールデータ１２０４における１３：００〜１４：００の時間）にテレビ会議の予定が追加されている。
【００６８】
このように本実施の形態に係るスケジュール管理システムによれば、携帯電話機１１から携帯電話機１２のスケジュールデータの確認要求に応じて、当該スケジュールサーバ１３から送信されると共に、携帯電話機１１のスケジュールデータの時刻情報に合わせて携帯電話機１２のスケジュールデータの時刻情報が調整され、同一画面（第三者スケジュール確認画面１２００）に表示されるので、時差を有する他の地域にいる携帯電話機１２のユーザのスケジュールを確認し易くすると共に、自己と当該携帯電話機１２のユーザとの間において、既に登録されているスケジュールと重複しないで新たなスケジュールを登録し易くすることが可能となる。
【００６９】
特に、本実施の形態に係るスケジュール管理システムにおいて、スケジュールサーバ１３は、携帯電話機１２のスケジュールデータを携帯電話機１１に送信する際、当該スケジュールデータの公開の許否を確認しているので（図１１に示すＳＴ１６）、ユーザの意図に関係なく当該ユーザのスケジュールデータが公開される事態を防止することが可能となる。
【００７０】
また、本実施の形態に係るスケジュール管理システムにおいて、スケジュールサーバ１３は、携帯電話機１１から携帯電話機１２のスケジュールデータの登録要求を受けると、当該スケジュールデータをスケジュールＤＢ１３ａに登録するので（図１１に示すＳＴ２５）、携帯電話機１１に登録されたスケジュールデータと、携帯電話機１２に登録されたスケジュールデータとの重複しない時間帯を指定して、新たなスケジュールを登録することが可能となる。
【００７１】
特に、本実施の形態に係るスケジュール管理システムにおいて、スケジュールサーバ１３は、携帯電話機１２のスケジュールデータをスケジュールＤＢ１３ａに登録する際、当該スケジュールデータの登録の許否を携帯電話機１２のユーザに確認するので（図１１に示すＳＴ２２、図１３に示す登録確認画面参照）、ユーザの意図に関係なく新たなスケジュールデータが登録される事態を防止することが可能となる。
【００７２】
なお、本発明は、上記実施の形態に限定されず、本発明の効果を発揮する範囲内において種々変更して実施することが可能である。また、本発明の目的の範囲を逸脱しない限りにおいて適宜変更して実施することが可能である。
【００７３】
例えば、上記実施の形態においては、携帯電話機１１、１２が有するスケジュール管理部２７が、時差を有する複数地域のスケジュールデータの時間的な調整を行う場合について説明している。しかし、時差を有する複数地域のスケジュールデータの時間的な調整を行う構成については、必ずしも携帯電話機１１、１２に限定されるものではなく、同様の機能をスケジュールサーバ１３に持たせ、このような時差を有する複数地域のスケジュールデータの時間的な調整を行わせるようにしても良い。このように変更した場合においても、上記実施の形態と同様の効果を得ることができると共に、携帯電話機１１、１２が搭載する機能要素を簡素化することが可能となる。
【００７４】
また、上記実施の形態においては、説明の便宜上、時差を有する複数地域を２つ地域に限定して説明しているが、時差を有する複数地域については、３つ以上の地域であっても良い。この場合、例えば、図７に示すようなスケジュール確認画面７０等においては、２つ以上の移動先のスケジュールデータ７３が表示されることとなる。
【図面の簡単な説明】
【００７５】
【図１】本発明の一実施の形態に係るスケジュール管理システムが適用されるネットワーク構成例を示す図である。
【図２】上記実施の形態に係る携帯電話機の構成を示すブロック図である。
【図３】上記実施の形態に係るスケジュールサーバの構成を示すブロック図である。
【図４】上記実施の形態に係る携帯電話機に表示されるスケジュール登録画面の一例を示す図である。
【図５】上記実施の形態に係る携帯電話機に表示されるスケジュール登録画面の一例を示す図である。
【図６】上記実施の形態に係る携帯電話機に表示されるロケーション設定画面の一例を示す図である。
【図７】上記実施の形態に係る携帯電話機に表示されるスケジュール確認画面の一例を示す図である。
【図８】上記実施の形態に係る携帯電話機の移動に伴って、更新後のスケジュール確認画面を表示する処理について説明するためのフロー図である。
【図９】上記実施の形態に係る携帯電話機に表示されるスケジュールデータ更新確認画面の一例を示す図である。
【図１０】上記実施の形態に係る携帯電話機に表示される更新後のスケジュール確認画面の一例を示す図である。
【図１１】上記実施の形態に係るスケジュール管理システムにおいて、他の携帯電話機に登録されたスケジュールデータの確認等を行う場合の処理について説明するためのシーケンス図である。
【図１２】上記実施の形態に係る携帯電話機に表示される第三者スケジュール確認画面の一例を示す図である。
【図１３】上記実施の形態に係る携帯電話機に表示される登録確認画面の一例を示す図である。
【図１４】上記実施の形態に係る携帯電話機に表示される第三者スケジュール確認画面の一例を示す図である。
【符号の説明】
【００７６】
１０  移動通信網
１１、１２  携帯電話機（移動体端末装置）
１３  スケジュールサーバ
１３ａ  スケジュールデータベース（ＤＢ）
２１  制御部
２２  通信部
２３  操作部
２４  表示部
２５  計時部
２６  位置検出部
２７  スケジュール管理部
２８  時差計算部
２９  記憶部
３１  制御部
３２  通信部
３３  計時部
３４  スケジュール管理部
【図１】
2008187388.tif 000003
【図２】
2008187388.tif 000004
【図３】
2008187388.tif 000005
【図４】
2008187388.tif 000006
【図５】
2008187388.tif 000007
【図６】
2008187388.tif 000008
【図７】
2008187388.tif 000009
【図８】
2008187388.tif 000010
【図９】
2008187388.tif 000011
【図１０】
2008187388.tif 000012
【図１１】
2008187388.tif 000013
【図１２】
2008187388.tif 000014
【図１３】
2008187388.tif 000015
【図１４】
2008187388.tif 000016